(57)【特許請求の範囲】
【請求項１】
搬送されるフィルム材を通過させ得るように取り囲んでフィルム搬送路上に固定配置されるべきフレームを備え、また該フレームに前記フィルム材の幅方向に移動可能に装架されていて前記フィルム材の両側縁の各側面と上下面とをガイド支持する一対のガイドと、前記一対のガイド間に横架され前記一対のガイドの移動に伴い同様に移動するようにした軸に設けられて前記フィルム材の下面に転接する少なくとも一つのローラーとを備えていて、前記フィルム材が蛇行した時には前記一対のガイドと前記軸がこれに追従移動して前記フィルム材の両側縁の変形を防ぐと共に、該フィルム材を正規の走行軌道へ復元させ得るように構成されたフィルム材搬送ガイド治具。
【請求項２】
搬送されるべき帯状のフィルム材の両側縁の各側面と上下面とをガイド支持するコの字状切込みを有する一対のガイドと、前記一対のガイド間に横架された軸にワッシャーにより挟まれて前記フィルム材の下面に転接するように回転可能に装架されたローラーと、前記一対のガイドの下端を所定の間隔をおいて支持するように前記軸の下方に設けられたガイドベース板と、前記フィルム材を通過させ得るように前記一対のガイドと前記ガイドベース板から成る組立体を取り囲んでフィルム搬送路上に固定配置されるべきフレームと、各上端部が前記フレームの隔置された頂部に夫々軸により枢着されまた各下端部が夫々軸とワッシャーにより前記ガイドベース板各端部に夫々枢着されているアームとにより構成され、前記フィルム材が蛇行した時には前記一対のガイドと前記軸がこれに追従移動して前記フィルム材の両側縁の変形を防ぐと共に、該フィルム材を正規の走行軌道へ復元させ得るようにしたフィルム材搬送ガイド治具。
【請求項３】
前記フィルム材の巻出し装置と巻取り装置との間に形成される直線的搬送軌道上に、少なくとも一つの請求項１又は２に記載のフィルム材搬送ガイド治具を配置してなるフィルム材搬送装置。
【発明の詳細な説明】
【０００１】
【発明の属する技術分野】
本発明は、IC用リードフレームの如き帯状フィルム材の搬送用ガイド治具及びそれを用いた搬送装置に関する。
【０００２】
【従来の技術】
一般に、フィルム材が処理される工程では、フィルム材が巻き出されてから巻き取られるまでの間に、直線に近い搬送を行う部分がある。それは、例えば、フィルム材の一面又は両面に塗布や張り付けを行ない、乾燥や熱処理を行なう部分等である。この場合、ガイドなしの直線搬送では、処理空間が長いとフィルム材の垂れ下がりや、ばたつき、ねじれ等が生じ易くなる。
【０００３】
そこで、従来からフィルム材の両側縁をコの字型のガイドやガイドレールに入れて搬送する方式や、鍔付きガイドローラーを用いる方法が一般的であるが、この場合には、ガイド自体がフィルム材の蛇行の力に抗するべく保持されているため、薄くて弱いフィルム材に対しては、蛇行が生じようとする度にフィルム材の側端面やその周辺に変形が起こり塑性変形してしまったり、フィルム材の中心部付近に撓みが生じたまま硬化処理されてしまうようなダメージを与え易い。
【０００４】
また、空気や磁気による浮上装置を用いてフィルム材の垂れ下がりを防ぐ方式の場合には、上記の如きダメージは起こり難いが、フィルム材への処理作業が限定され、装置の構造や制御方式も複雑化して装置費用が増大してしまうという問題がある。
【０００５】
また、チェーン搬送でフィルム材の両側縁をニップする搬送方式の場合には、テンシヨンや消耗度合いでチェーンの伸びが変化してくるため、途中でニップしたフィルム材に変形が生じ易く、メンテナンスの手間も掛かるという問題がある。
【０００６】
【発明が解決しようとする課題】
本発明は、上記の如き従来技術の有する問題点に鑑みてなされたものであり、その目的とするところは、搬送されるフィルム材の側縁部やその周辺にダメージを与えず、且つ軌道を一定範囲に確保して、安定搬送を行なうことが出来るフィルム材の搬送装置を提供することにある。
【０００７】
【課題を解決するための手段】
上記の目的を達成するため、本発明によるフィルム材搬送ガイド治具は、搬送されるフィルム材を通過させ得るように取り囲んでフィルム搬送路上に固定配置されるべきフレームを備え、また該フレームに前記フィルム材の幅方向に移動可能に装架されていて前記フィルム材の両側縁の各側面と上下面とをガイド支持する一対のガイドと、前記一対のガイド間に横架され前記一対のガイドの移動に伴い同様に移動するようにした軸に設けられて前記フィルム材の下面に転接する少なくとも一つのローラーとを備えていて、前記フィルム材が蛇行した時には前記一対のガイドと前記軸がこれに追従移動して前記フィルム材の両側縁の変形を防ぐと共に、該フィルム材を正規の走行軌道へ復元させ得るように構成されている。
【０００８】
また、本発明のフィルム材搬送ガイド治具は、搬送されるべき帯状のフィルム材の両側縁の各側面と上下面とをガイド支持するコの字状切込みを有する一対のガイドと、前記一対のガイド間に横架された軸にワッシャーにより挟まれて前記フィルム材の下面に転接するように回転可能に装架されたローラーと、前記一対のガイドの下端を所定の間隔をおいて支持するように前記軸の下方に設けられたガイドベース板と、前記フィルム材を通過させ得るように前記一対のガイドと前記ガイドベース板から成る組立体を取り囲んでフィルム搬送路上に固定配置されるべきフレームと、各上端部が前記フレームの隔置された頂部に夫々軸により枢着されまた各下端部が夫々軸とワッシャーにより前記ガイドベース板各端部に夫々枢着されているアームとにより構成され、前記フィルム材が蛇行した時には前記一対のガイドと前記軸がこれに追従移動して前記フィルム材の両側縁の変形を防ぐと共に、該フィルム材を正規の走行軌道へ復元させ得るようにしている。
【０００９】
また、上記目的を達成するため、本発明によるフィルム材の搬送装置は、前記フィルム材の巻出し装置と巻取り装置との間に形成される直線的搬送軌道上に、少なくとも一つの上記フィルム材搬送ガイド治具を配置して成っている。
【００１０】
【発明の実施の形態】
以下、本発明の実施の形態を図示した実施例に基づき説明する。図１は本発明に係るフィルム材搬送ガイド治具の一実施例の正面図、図２は図１の右側面図、図３は本発明に係るフィルム材搬送装置の一実施例の概略構成図である。
【００１１】
図中、１は搬送されるべき帯状のフィルム材、２はフィルム材１の両側縁の各側面と上下面とをガイド支持するコの字状切込みを有する一対のガイド、３は一対のガイド２，２間に横架された軸５にワッシャー４，４により挟まれてフィルム材１の下面に転接するように回転可能に装架されたローラー、６はガイド２，２を所定の間隔をおいて支持するガイドベース板、７はフィルム材１を通過させ得るように一対のガイド２，２とガイドベース板６から成る組立体を取り囲んでフィルム搬送路上に固定配置されるべきフレーム、８は各一端部が軸１０とワッシャー１１によりガイドベース板８の各端部に夫々枢着されたアーム９，９の各他端部をフレーム７の隔置された頂部に夫々枢着するための軸であって、これらは本発明に係るフィルム材搬送ガイド治具１２を構成している。
【００１２】
図３において、１３はフィルム材の巻出し装置、１４は巻出し装置１３から所定の距離を置いて配置されたフィルム材の巻取り機、１５，１６はフィルム材１の巻出し機１３と巻取り機１４との間に形成されるフィルム材１の直線的搬送軌道上に配置された複数のフィルム材搬送ガイド治具１２を含む処理装置である。
【００１３】
本発明実施例は上記のように構成されているから、フィルム材１の搬送中にフィルム材が一時的に蛇行した場合、フィルム材１の側縁により蛇行した側のガイド２は側方（フィルム材１の幅方向）に力を受けるが、この場合そのガイド２は、軸８を中心として回動するアーム９及び該アーム９の回動により移動するガイドベース板６を介して、力を受けた方向に移動するため、フィルム材１の側縁部がガイド２のコの字状切込みにより変形させられるのを防止すると共に、フィルム材１が撓まされるのを防止する。かくして、一時的な蛇行がとれた際には、重力により、ガイド２とガイドベース板６とアーム９を含む組立体は最下位置（常態）に戻るので、フィルム材１の軌道は緩やかに正規の軌道に復元することが出来る。
【００１４】
また、巻出しから巻取りまでの間のフィルム材１の直線的軌道に、図３に示す如く複数のフィルム材搬送ガイド治具１２を並べて配置することにより、低い張力でもフィルム材の下方への垂れ下がりを少なく抑えたフィルム搬送が可能となり、且つ各ガイド２と蛇行したフィルム材間に生じた抗力も上記説明から明らかな如く低レベルで済むため、処理工程で通常直線的搬送の入口と搬送出口間に設定された張力による軌道保持効果を低く抑えることが出来るので、より低い張力で蛇行によるフィルム材１の変形ダメージの影響を避けた搬送が可能になる。
【００１５】
【発明の効果】
上述の如く本発明によれば、搬送中蛇行があってもそれによるフィルム材の損傷を回避することができ、且つ、フィルム材の安定走行を実現し得るフィルム材搬送ガイド治具及びそれを用いたフィルム材の搬送装置を提供することが出来る。
【図面の簡単な説明】
【図1】  本発明に係るフィルム材搬送ガイド治具の一実施例の正面図である。
【図２】  図１の右側面図である。
【図３】  本発明に係るフィルム材搬送装置の一実施例の概略構成図である。
【符号の説明】
１                 フィルム材
２                 ガイド
３                 ローラー
４，１１           ワッシャー
５，８，１０       軸
６                 ガイドベース板
７                 フレーム
９                 アーム
１２               ガイド治具
１３               巻出し機
１４               巻取り機
１５，１６         ローラー
１７               処理装置
【図１】
0004534400.tif 000002
【図２】
0004534400.tif 000003
【図３】
0004534400.tif 000004